(57)【特許請求の範囲】
【請求項１】
角筒状でその両端に環状のフランジを備えた形態を有するダンパーケーシングであって、
そのダンパーケーシングは角筒状の各角部を構成するとともに前記環状フランジとなるフランジ部を備える複数のコーナーケーシングと、それらの各コーナーケーシング同士を角筒状となるように互いに連結するとともに前記環状フランジとなるフランジ部を有する複数の中間ケーシングとが組み付けられて構成されており、
前記コーナーケーシングの本体部はＬ字型に折り曲げられ、そのＬ字型に折り曲げた時の角と辺とで構成し、その本体部の外側の両端にはフランジ部を設け、
前記コーナーケーシングのＬ字型に折り曲げた時の辺には、このコーナーケーシングと前記中間ケーシングとが、角筒状となるように互いに連結するための接続部を備え、
その接続部はコーナーケーシングのＬ字型に折り曲げた時の辺とフランジ部とに固定するための接続板部と立ち上がり部とを備え、
その接続部の中間ケーシング側の先端には切欠を形成して、接続部の両側の立ち上がり部の板面に沿って延びる両側縁部を形成し、
前記コーナーケーシングに固定した接続部の両側の立ち上がり部とその立ち上がり部の板面に沿って延びる両側縁部とが、前記中間ケーシングの本体部とフランジ部とに嵌め合わされた後、それらの接続部同士が固定手段により固定され、前記環状フランジを備えた角筒状に構成されることを特徴とする分割組立て式角型ダンパーケーシング。
【請求項２】
前記コーナーケーシングのＬ字型に折り曲げ部分のフランジ部には、そのフランジ部の湾曲部に沿って円弧帯状の補強板が固定具で取り付けられていることを特徴とする請求項１に記載の分割組立て式角型ダンパーケーシング。
【請求項３】
組立て後にダンパーケーシングの開口端となる、前記コーナーケーシングと前記中間ケーシングの各端部にフランジが設けられ、さらに前記フランジの端部が双方のフランジの内向きに曲げられた形態をなすことを特徴とする請求項１及び２に記載の分割組立て式角型ダンパーケーシング。
【請求項４】
前記コーナーケーシングと前記中間ケーシングとの一方に設けられた段差部と、他方に設けられた前記段差部に対応した接合部とが重ね合わせられて、固定手段で固定されて組立てられることを特徴とする請求項１または３に記載の分割組立て式角型ダンパーケーシング。
【請求項５】
前記ダンパーケーシングは矩形の４角筒状をなし、前記複数の中間ケーシングのうち、対向する中間ケーシング同士がそれぞれ同じ長さを有し、各組の中間ケーシングの長さを変化させることで、幾通りもの形状寸法のダンパーケーシングを形成することができる請求項１ないし４のいずれか１項に記載の分割組立て式角型ダンパーケーシング。
【請求項６】
前記複数のコーナーケーシングが全て同形状を有する請求項１ないし５のいずれか１項に記載の分割組立て式角型ダンパーケーシング。
【請求項７】
角筒状でその両端に環状のフランジを備えた形態を有するダンパーケーシングであって、そのダンパーケーシングは角筒状の各角部を構成するとともに前記環状フランジとなるフランジ部を備える複数のコーナーケーシングと、それらの各コーナーケーシング同士を角筒状となるように互いに連結するとともに前記環状フランジとなるフランジ部を有する複数の中間ケーシングとが組み付けられて、前記環状フランジを備えた角筒状に組立てられており、
前記環状フランジはダンパーケーシングの開口端となる両端に設けられ、その環状フランジの端部が双方のフランジの内向きに曲げられる折り返し部の形態をなしており、
前記ダンパーケーシングの前記中間ケーシングと前記中間ケーシングが接続されたコーナーケーシングとの接続境界にまたがり、前記中間ケーシングとコーナーケーシングの本体部・フランジ・そのフランジの折り返し部で構成する内側３面に接触する断面形状を有する補強材が取り付けられたことを特徴とする分割組立て式角型ダンパーケーシング。
【発明の詳細な説明】
【０００１】
【発明の属する技術分野】
本発明は、ビルの空調設備等に用いられるダンパーのケーシングに関する。
【０００２】
【従来の技術】
従来において、角型ダンパーケーシングは１枚の帯状の鋼板を、所定の形状に曲げ加工して、端部同士を溶接して四角筒状にした後、筒部の開口端の外側全周にアングルを取り付けてフランジを形成していた。
【０００３】
また、別の方法として、帯状の鋼板をＬ字形に曲げ加工した同形状のものを２個合体させて、対角のコーナー部２箇所で溶接して四角筒状にした後、筒部の開口端の外側全周にアングルを溶接してフランジを形成していた。
【０００４】
【発明が解決しようとする課題】
しかしながら、１枚の帯状の鋼板を四角筒状に曲げ加工する方法は、加工前の鋼板の大きさがダンパー４面分となり、製作するダンパーケーシングのサイズによっては鋼板が広大な面積となり、それに伴って製作スペースや加工機も大きなものが必要であった。
【０００５】
また、鋼板を四角筒状にした後に、フランジ形成のためにアングルを筒部の開口端の外側全周に取り付けることは、大変手数を要することであった。
【０００６】
さらに、従来ではダンパーケーシングを組立てた後、塗装を行っていたが、筒部形成後にアングルを取り付けていたので、筒部とアングルの接触面は塗装がされないままの状態になり、その箇所から塗装が剥離したり、錆が発生しやすい等の問題があった。
【０００７】
【課題を解決するための手段及び作用・効果】
本発明の分割組立て式角型ダンパーケーシングは、角筒状でその両端に環状のフランジを備えた形態を有するダンパーケーシングであって、そのダンパーケーシングは角筒状の各角部を構成するとともに前記環状フランジとなるフランジ部を備える複数のコーナーケーシングと、それらの各コーナーケーシング同士を角筒状となるように互いに連結するとともに前記環状フランジとなるフランジ部を有する複数の中間ケーシングとが組み付けられて、前記環状フランジを備えた角筒状に構成される。
【０００８】
そして、前記コーナーケーシングの本体部はＬ字型に折り曲げられ、そのＬ字型に折り曲げた時の角と辺とで構成し、その本体部の外側の両端にはフランジ部を設け、前記コーナーケーシングのＬ字型に折り曲げた時の辺には、このコーナーケーシングと前記中間ケーシングとが、角筒状となるように互いに連結するための接続部を備え、その接続部はコーナーケーシングのＬ字型に折り曲げた時の辺とフランジ部とに固定するための接続板部と立ち上がり部とを備え、その接続部の中間ケーシング側の先端には切欠を形成して、接続部の両側の立ち上がり部の板面に沿って延びる両側縁部を形成し、前記コーナーケーシングに固定した接続部の両側の立ち上がり部とその立ち上がり部の板面に沿って延びる両側縁部とが、前記中間ケーシングの本体部とフランジ部とに嵌め合わされた後、それらの接続部同士が固定手段により固定され、前記環状フランジを備えた角筒状に組立てられる。
【０００９】
このようにして製作されるため、従来のような大きな鋼板の曲げ加工や、鋼板端部の接続部分の溶接は不要となり、限られた種類のパーツ同士の、リベットやボルトナットを用いた組立てで形成されるので、大幅な作業工程の簡略化が図れる。作業スペースに関しても、前記中間ケーシング１枚の大きさが従来の１枚ものの曲げ加工、又はＬ字形に曲げる加工前の鋼板に比して小さくなるので、小スペースでの加工や組立てが可能となる。
【００１０】
また、組立て後にダンパーケーシングの開口端となる、前記コーナーケーシングと前記中間ケーシングの各端部にフランジが設けられ、さらに前記フランジの端部が双方のフランジの内向きに曲げられた形態をなす。
【００１１】
前記コーナーケーシングと前記中間ケーシングに予めフランジを設けることにより、従来アングルを筒部両端の全周に溶接にて後付けしていた作業を省くことが可能となる。そして、前記コーナーケーシングと前記中間ケーシングとも組立て前に塗装が可能になるので、従来有していた未塗装部分から生じる塗装剥がれが生じにくいうえ、防錆効果も向上し、組立て後の外観も美しく仕上がる。
【００１２】
また、ダンパーケーシングの開口端のフランジ端部を双方のフランジの内向きに曲げることで、従来のアングルを取り付けた場合に比べてフランジ端部の断面二次モーメントが大きくなるため、ダンパーケーシングの変形をより抑えることができ、形状維持に効果を発する。
【００１３】
さらに、前記コーナーケーシングと前記中間ケーシングの接続の別の手段として、前記コーナーケーシングと前記中間ケーシングとの一方に設けられた段差部と、他方に設けられた前記段差部に対応した接合部とが重ね合わせられて、固定手段で固定されて組立てられる。
【００１４】
また、前記ダンパーケーシングは矩形の４角筒状をなし、前記複数の中間ケーシングのうち、対向する中間ケーシング同士がそれぞれ同じ長さを有し、各組の中間ケーシングの長さを変化させることで、幾通りもの形状寸法のダンパーケーシングを形成することができ、さらに前記複数のコーナーケーシングが全て同形状を有する。
【００１５】
これにより、対向する中間ケーシングの各組の長さを幾通りか設定して、各種寸法のものを多数在庫しておけば、ダンパーケーシングの製作寸法に応じて所定寸法の中間ケーシングと、共通部品として使用できるコーナーケーシングとの組合せでダンパーケーシングの製作が短時間で行える。
【００１６】
さらに、組立てられたダンパーケーシングの前記中間ケーシングと前記中間ケーシングが接続されたコーナーケーシングとの接続境界にまたがり、前記本体部と前記フランジと前記フランジの折り返し部との内側３面に接触する断面形状を有する補強材を取り付けることもできる。
【００１７】
この手段は特に前述した中間ケーシングに設けられた段差部と、前記段差部に対応したコーナーケーシングの接合部とを重ね合わせて、固定具で止める接続方法の場合に有効である。その理由としては、ダンパーケーシングの両端にフランジがあっても、フランジ同士は連結固定されていないので、フランジが一体になっている場合に比べてダンパーケーシングの剛性は劣り、補強部材を接続された３部品（コーナーケーシング−中間ケーシング−コーナーケーシング）の開口両端のフランジの内側に取り付けることで、フランジ同士が連結固定されてダンパーケーシングの剛性が増し、さらに前記補強部材が固着されることで前記補強部材自体の強度もダンパーケーシングの剛性に寄与することができるからである。
【００１８】
【発明の実施の形態】
以下、本発明の実施の形態について図面を参照して説明する。
図１はダンパーケーシング１の組立て完成図を、図２はダンパーケーシング１の分解図を示している。
【００１９】
さらに図３は本発明のダンパーケーシング１に羽根３４等の内部部品を組み付けて、ダンパーが完成した状態を示している。ここでダンパーケーシング１の側面に突き出た回転軸３１を回転させることで、ダンパーケーシング１内部で回転軸３１に取り付けられた羽根３４が回転する。そして、羽根３４とその上下の羽根３５，３５に連結桿３３が連結金具３６を介して連結されることで、羽根３５，３５も軸３２，３２を中心にして羽根３４と同様の回転をする。回転軸３１及び軸３２，３２は後述する補強部材５に設けた軸受け穴５ａで回転可能に保持される。以上のような構成で、ダンパーは回転軸３１を回転させることにより、３枚の羽根３４，３５，３５の開閉を行い、通過する風量の調整ができる。
【００２０】
ダンパーケーシング１は角筒状で、その開口両端の外側にフランジ部８を有し、さらにフランジ部８の外周端部は双方のフランジ部８の対向する向きに折り返し部９が設けられている。ダンパーケーシング１は主に４つのコーナー部に位置する４個のコーナーケーシング４と、角筒の４面を構成する４個の中間ケーシング２，３と、筒部内側の短辺側２面（もしくは立ち上がり部の２面）に取り付けられた複数（例えば２個）の補強部材５とから構成されている。
【００２１】
コーナーケーシング４は４個とも全てが同形状を有しており、等辺のＬ字形に曲げられて、ダンパーケーシング１の筒部の一部を形成する本体部４ａと、本体部４ａのＬ字の辺の両端の外側に設けられたフランジ部４ｂと、フランジ部４ｂの外周端部に、双方のフランジ部４ｂの対向する向きに設けられた折り返し部４ｃから構成されている。また、フランジ部４ｂの湾曲部に沿って円弧帯状の補強板７が固定具１２で取り付けられている。そして補強板７の中央にはフランジ部４ｂを貫通して、複数のダンパーケーシング１をつなぎ合わせるための接続固定用穴２１が開けられており、補強板７は接続固定部分の補強のために取り付けられる。さらに本体部４ａの２面に１個ずつ接続部６がスポット溶接等の溶接により取り付けられている。接続部６は、本体部４ａ、双方のフランジ部４ｂ及び折り返し部４ｃの内面に嵌合して、かつ補強板７の端部に接触するように配置される。
【００２２】
接続部６は図６に示すように、接続板部６ａと立ち上がり部６ｂとを備えている。接続部６は平板の対向する２辺を折り曲げて立ち上がり部６ｂを形成し、底面の立ち上がり部６ｂのない辺の片側を矩形状に切り欠き、その結果コの字状になった部分で接続板部６ａを形成している。言い換えれば、長方形の平板の短辺２辺に、前記短辺の長さよりも長いアングル（Ｌ字鋼）を平板の片側に出っ張らせて一体化させたような形状となっている。
【００２３】
立ち上がり部６ｂ，６ｂ間の外幅及び高さはコーナーケーシング４のフランジ部４ｂ、折り返し部４ｃの内側に嵌合する寸法となっている。より具体的には、接続部６の底板部に相当する板部（両側の立ち上がり部６ｂ同士を連結する連結板部（６ａ））の先端側には、切欠６ｇが形成されている。この切欠６ｇが接続版部６ａの先端側（コーナーケーシング４の角部側を基端側とすればこれとは反対側）に開口し、上記基端側へ向かって一定の深さ（奥行き）を有している。
【００２４】
切欠６ｇは、この例では両側の立ち上がり部６ｂの板面に沿って延びる両側縁部と、それら両側縁部を上記基端側でつなぐ底側縁部とを備えている。このような切欠６ｇによって、両側の立ち上がり部６ｂの先端側（中間ケーシング２へ挿入される又は中間ケーシング２が挿入される側）が、それら両端の立ち上がり部６ｂ間の対向間隔を増減するように接近・離間方向に弾性変形しやすくなる。その結果、コーナーケーシング４の接続部６と中間ケーシング２の一端部（接続部）とを嵌め合わせる（挿入する）際に、例えば接続部６の互いに対向する立ち上がり部６ｂの外面間隔が中間ケーシング２の内面間隔より多少大きい場合等、双方の組付部品間にある程度の寸法誤差があっても、切欠６ｇにより両側の立ち上がり部６ｂに一定範囲の弾性変形が許容され、コーナーケーシング４と中間ケーシング２の組付・嵌合をよりスムーズに行うことが可能となる。
【００２５】
さらに後述するように、それら立ち上がり部６ｂの先端側には、先端に向かって漸次立ち上がり部６ｂの高さを低くする斜面（テーパ部）６ｃ等の嵌合（挿入組付）ガイド部が形成され、各斜面６ｃが中間ケーシング２の後述する折り返し部２ｄの内面に接触した場合は、その斜面６ｃ（言い換えればカム）の作用により、立ち上がり部６ｂが中間ケーシング２の本体板部（底板部）に接近又は接するように誘導されつつ、コーナーケーシング４の立ち上がり部６ｂが相対的に中間ケーシング２の一端部内側へ挿入される。このようにコーナーケーシング４の接続部６に形成された切欠６ｇによるある程度の弾性変形機能と、その接続部６の立ち上がり部６ｂに形成された斜面（テーパ部）６ｃによる組付誘導機能との相乗効果により、コーナーケーシング４と中間ケーシング２との組付性は一層向上する。
【００２６】
立ち上がり部６ｂにおいて、接続板部６ａの矩形状に切り欠かれた側のコーナー端部を斜めに切り落とした、上記のような斜面（テーパ部）６ｃを有するが、さらに、後述する中間ケーシング２の接続に用いるリベット用の穴６ｅ，６ｆをそれぞれ接続板部６ａと立ち上がり部６ｂに２個ずつ設ける。以上のような形状の接続部６をコーナーケーシング４の所定位置に取り付けると、コーナーケーシング４の端部から接続板部６ａと、立ち上がり部６ｂを含んだアングル形状部２箇所とが突出する形態となる。
【００２７】
中間ケーシング２は図５に示すように、ダンパーケーシング１の筒部の一部を形成する本体部２ｂと、コーナーケーシング４と接続しない２辺の外側に設けられたフランジ部２ｃと折り返し部２ｄから構成されている。フランジ部２ｃ及び折り返し部２ｄの断面形状は、コーナーケーシング４のフランジ部４ｂ及び折り返し部４ｃと同一である。なお、中間ケーシング３についても中間ケーシング２と同様の形態をなしており、前述の符号２を３に置き換えることで、中間ケーシング３の説明ができる。
【００２８】
コーナーケーシング４と中間ケーシング２の接続は、図２に示すようにコーナーケーシング４から突出した接続部６の接続板部６ａと立ち上がり部６ｂを含んだアングル形状部２箇所とを、中間ケーシング２の本体部２ｂ、フランジ部２ｃ及び折り返し部２ｄの内面に挿入し、コーナーケーシング４と中間ケーシング２の接続端面同士が接触した状態で所定位置をリベットで固定する。この接続作業の際に、接続部６の立ち上がり部６ｂの先端に設けたテーパ部６ｃにより中間ケーシング２への挿入がしやすくなり、作業性が向上する。ここでコーナーケーシング４と中間ケーシング２，３の接続が完了した状態を図４に示す。また、接続部６と中間ケーシング２の接続部の断面図を図７に示す。以上の接続は全ての接続箇所（８箇所）において同様に行われる。
【００２９】
ダンパーケーシング１の筒部内側の短辺側２面（もしくは立ち上がり部の２面）には、図８に示すように垂直に補強部材５がスポット溶接にて取り付けられる。補強部材５は図８に示すように、中間部５ｂが箱型に突出してその内側に空洞ができ、中間部５ｂの両側のフランジ５ｃで中間ケーシング３の本体部３ｂに固定され、言い換えればこのような箱形の断面となるように鋼板を曲げ加工して形成されており、補強部材５にはコーナーケーシング４、中間ケーシング３、コーナーケーシング４の３部品が固着されるため、当該面の剛性が上がり、そりや歪みを抑える効果がある。なお、前述したように補強部材５には穴５ａが所定個数開けられており、ダンパーケーシング１の組立て終了後に取り付けられる風量調整の羽根の軸受けも兼ねている。
【００３０】
図９はコーナーケーシング４と中間ケーシング５２の接続を前述の方法とは異なった方法を用いた第２の実施例でのダンパーケーシング１０１の組立て完成図を示し、図１０はダンパーケーシング１０１の分解図を示している。
【００３１】
第２の実施例においては、前述した中間ケーシング２に替えて図１１に示す中間ケーシング５２を採用し、コーナーケーシング４は図１０に示すように第１の実施例で用いた接続部６を設けていないコーナーケーシング４を使用する。
【００３２】
中間ケーシング５２はダンパーケーシング１の筒部の一部を形成する本体部５２ｂと、コーナーケーシング４と接続しない２辺の外側に設けられたフランジ部５２ｃと折り返し部５２ｄとから構成されており、さらにコーナーケーシング４と接続する２辺には接続部５２ａが設けられている。本体部５２ｂと接続部５２ａとは平行で、かつコーナーケーシング４の本体部４ａの板厚分だけ段違いになってつながっている。なお、図１０中の中間ケーシング５３についても中間ケーシング５２と同様の形態をなしており、前述の符号５２を５３に置き換えることで、中間ケーシング５３の説明ができる。
【００３３】
コーナーケーシング４と中間ケーシング５２の接続は図１２に示すように、中間ケーシング５２の本体５２ｂと接続部５２ａとの段差部分にコーナーケーシング４の本体４ａを嵌め合わせた後、重なった部分を所定の個数の固定具１１で固定して行われる。その際、前述したように中間ケーシング５２の接続部５２ａはコーナーケーシング４の本体部４ａの板厚分だけ段違いになっているため、双方を嵌め合わせた時に接続部分の段差をなくすことができる。なお、この接続は中間ケーシング５２の２つの接続部５２ａ、５２ａとも同様に行われる。
【００３４】
また、中間ケーシング５３とコーナーケーシング４との接続についても上述したのと同様に行われ、これらの接続作業を合計８箇所で行われて図９に示すようなダンパーケーシング１０１が１セット組立てられる。
【００３５】
以上のようにして組立てられたダンパーケーシング１０１には、図１０及び図１３に示すように、長辺側２面（もしくは上面及び下面の２面）のフランジ部５２ｃ、本体部５２ｂ及び折り返し部５２ｄの内側に嵌合するようにＣ形鋼の補強部材６０がスポット溶接等の固定手段により合計４箇所に取り付けられる。補強用Ｃ形鋼６０の長さは、フランジ４ｂの湾曲部に取り付けた補強板７の左右２個の内側に並列で取り付くように設定する。これにより、ダンパーケーシング１０１の長手方向について、補強部材６０にコーナーケーシング４、中間ケーシング５２、コーナーケーシング４の３部品が固着されるため、中間ケーシング５２の接続部５２ａとコーナーケーシング４の本体部４ａとの接続をより強固するとともに、当該面に剛性を付加することができ、そりや歪みの抑制に効果的である。
【００３６】
以上のような構成のダンパーケーシング１は、図１４に示すように４つの共通のコーナーケーシング４と、４枚のうち対向する２組がそれぞれＸ，Ｙの長さを有した中間ケーシング２，３の組合せによって様々なサイズのものが作られる。ここで可変の寸法は、図５の中間ケーシング２を例に挙げて説明すると、本体部２ｂ、フランジ部４ｂ、折り返し部２ｄの長さＸであり、中間ケーシング２の幅Ｌは一定である。これらの寸法関係の定義はプレート３についても同様である。
【００３７】
例えば、中間ケーシング２のＸ寸法をｘ１，ｘ２，・・・，ｘａのａ通り（ａ種類）設定して、中間ケーシング３のＹ寸法をｙ１，ｙ２，・・・，ｙｂのｂ通り（ｂ種類）設定した場合、実際は中間ケーシング２，３は同じ形態なので、全長だけが異なった合計（ａ＋ｂ）種類の中間ケーシング２，３を用意すればよい。（ただしｘ１，ｘ２，・・・，ｘａとｙ１，ｙ２，・・・，ｙｂとで重複する寸法がない場合）従って、これら（ａ＋ｂ）種類の中間ケーシング２，３でダンパーケーシング１は（ａ×ｂ）通りの組合せを構成することができる。
【００３８】
さらに具体的には、図１５に示すように中間ケーシング２のＸ寸法がｘ１，ｘ２，ｘ３の３種類（それぞれ中間ケーシング２０１，２０２，２０３）と中間ケーシング３のＹ寸法がｙ１，ｙ２，ｙ３の３種類（それぞれ中間ケーシング３０１，３０２，３０３）を用意した場合、これら６種類の長さの中間ケーシング２，３の各２枚の２組から構成されるダンパーケーシング１の組合せは合計９通りとなる。そのうちの数例を図１６に示す。（ａ）は中間ケーシング２０１と３０１を各２枚組合せた例である。同様に（ｂ）は中間ケーシング２０２と３０２、（ｃ）は中間ケーシング２０３と３０３を組合せた例である。前述したように組合せは合計９通りなので、これら以外にも６通りの組合せが可能である。
【００３９】
なお、以上の組合せ例は第二の実施例のダンパーケーシング１０１についても同様に適用でき、その場合の可変寸法は図１１の中間ケーシング５２において、本体部５２ｂ、フランジ部５４ｃ、折り返し部５２ｄの長さＸであり、２つの接続部５２ａの幅ｔと中間ケーシング５２の幅Ｌは一定である。これらの寸法関係の定義はプレート５３についても同様である。
【００４０】
このようにダンパーケーシング１または１０１は、限られた部品の組合せで多数の形状のケーシングが製作でき、さらに組立ても容易で、かつ十分な剛性を有したものを形成することができる。
【図面の簡単な説明】
【図１】ダンパーケーシングの斜視図。
【図２】ダンパーケーシングの分解図。
【図３】ダンパーケーシングに内部部品を組み付けて完成したダンパーの斜視図。
【図４】コーナーケーシングと中間ケーシングとを接続した詳細を示す斜視図。
【図５】中間ケーシングの斜視図。
【図６】接続部の斜視図。
【図７】コーナーケーシングと中間ケーシングの接続部分の断面図。
【図８】ダンパーケーシングの短辺側の断面図。
【図９】第２実施例のダンパーケーシングの斜視図。
【図１０】第２実施例のダンパーケーシングの分解図。
【図１１】第２実施例の中間ケーシングの斜視図。
【図１２】第２実施例のコーナーケーシングと中間ケーシングの接続部分の断面図。
【図１３】第２実施例のダンパーケーシングの長辺側の断面図。
【図１４】ダンパーケーシングの正面図を概念的に示した図。
【図１５】ダンパーケーシングの長辺側及び短辺側の中間ケーシングの概念図。
【図１６】図１５で示した中間ケーシングの組合せからできるダンパーケーシングの例を示す概念図。
【符号の説明】
１，１０１  ダンパーケーシング
２，３  中間ケーシング
４  コーナーケーシング
５  補強部材
６  接続部
７  補強版
８  フランジ部
９  折り返し部
３１  回転軸
３２  軸
３３  連結桿
３４，３５  羽根
３６  連結金具
５２，５３  中間ケーシング
６０  補強部材
【図１】
0003605395.tif 000002
【図２】
0003605395.tif 000003
【図３】
0003605395.tif 000004
【図４】
0003605395.tif 000005
【図５】
0003605395.tif 000006
【図６】
0003605395.tif 000007
【図７】
0003605395.tif 000008
【図８】
0003605395.tif 000009
【図９】
0003605395.tif 000010
【図１０】
0003605395.tif 000011
【図１１】
0003605395.tif 000012
【図１２】
0003605395.tif 000013
【図１３】
0003605395.tif 000014
【図１４】
0003605395.tif 000015
【図１５】
0003605395.tif 000016
【図１６】
0003605395.tif 000017